(57)【要約】従来のクレジットカードとほぼ同様に個人が保持できる個人用薬剤投薬カード。この個人用薬剤投薬カードは、その表面に浅い凹部が形成されており、この中に、粉末状または顆粒状である投薬すべき薬剤または他の物質を入れることができる。この凹部の上には着脱式カバーが配置され、このカバーでその中身を一定位置に保持する。その薬剤または他の物質を、カードの表面上に配置して、着脱式カバーシートで被覆することも可能である。ユーザがその薬剤を服用したい時点で、ユーザはその着脱式カバーシートを単に取外し、凹部内に入れられた薬剤を通常舐めることができる。
2004524881.tif 000002
【特許請求の範囲】
【請求項１】
薬剤を携帯できるようにされた薬剤投薬カードであって、
比較的硬い材料で形成されたカード状基部と、
ユーザの口の一部を接触させることにより溶かし出すことのできる薬剤を収容するための前記基部上表面と、
ユーザが該薬剤に接触できるように、ユーザが着脱できる、前記薬剤上に配置された着脱式カバーと、
を含む薬剤投薬カード。
【請求項２】
前記薬剤が、粉末状であり、結合剤を含む、請求項１に記載の薬剤投薬カード。
【請求項３】
前記薬剤が、粉末状であり、前記薬剤を前記表面上に保持するためにゲル化物質を含む、請求項１に記載の薬剤投薬カード。
【請求項４】
前記基部が浅い凹部を含み、前記表面が前記凹部内に位置しており、前記薬剤が前記表面に適用される、請求項１に記載の薬剤投薬カード。
【請求項５】
クレジットカードと同様のサイズおよび形状であり、個人向け薬剤を各自が携帯できるようにされた個人用薬剤投薬カードであって、
クレジットカードと同様のサイズおよび形状であり、比較的硬い材料で形成され、表面を有するカード状基部と、
前記基部の前記表面に適用された薬剤と、
前記薬剤上に配置され、前記基部に着脱自在に固定されており、ユーザが前記薬剤を出入れできるように、ユーザによる着脱が可能である着脱式カバーと、
を含む個人用薬剤投薬カード。
【請求項６】
前記薬剤が、粉末状であり、結合剤を含む、請求項５に記載の個人用薬剤投薬カード。
【請求項７】
前記薬剤が、粉末状であり、前記薬剤を前記表面上に保持するためにゲル化物質を含む、請求項５に記載の個人用薬剤投薬カード。
【請求項８】
前記基部が少なくとも１つの浅い凹部を含み、前記薬剤が、前記表面の実質的に全体をカバーしながら前記凹部内に入れられる、請求項５に記載の個人用薬剤投薬カード。
【請求項９】
前記カバーが、前記基部の前記表面上に実質的に平坦に配置される、請求項５に記載の個人用薬剤投薬カード。
【請求項１０】
前記カバーが、可撓性材料で形成されて前記凹部を被覆するように前記基部上に配置されており、前記薬剤を取出すことができるように、前記凹部から剥されるようにされている、請求項５に記載の個人用薬剤投薬カード。
【請求項１１】
前記カバーが、前記凹部の周囲を取囲んで接着剤により前記基部に密着している、請求項５に記載の個人用薬剤投薬カード。
【請求項１２】
前記カバーが、前記基部の周囲を取囲んで接着剤により前記基部に密着している、請求項５に記載の個人用薬剤投薬カード。
【請求項１３】
クレジットカードと同様のサイズおよび形状であり、個人向け薬剤を各自が携帯できるようにされた個人用薬剤投薬カードであって、
クレジットカードと同様のサイズおよび形状で、比較的硬い材料で形成されており、少なくとも１つの浅い凹部が形成された表面を有するカード状基部と、
前記基部の前記凹部内に入れられた薬剤と、
前記薬剤を前記基部に封入するように、前記凹部を被覆するように前記基部上に配置されており、前記凹部内の前記薬剤を取出すことができるように、ユーザによる着脱が少なくとも部分的に可能である着脱式カバーと、
を含む個人用薬剤投薬カード。
【請求項１４】
前記薬剤が、粉末状であり、結合剤を含む、請求項１３に記載の個人用薬剤投薬カード。
【請求項１５】
前記薬剤が、粉末状であり、前記薬剤を前記表面上に保持するためにゲル化物質を含む、請求項１３に記載の個人用薬剤投薬カード。
【請求項１６】
前記薬剤が前記凹部を実質的に充填する、請求項１３に記載の個人用薬剤投薬カード。
【請求項１７】
前記基部が、薬剤を入れるために複数の浅い凹部を含む、請求項１３に記載の個人用薬剤投薬カード。
【請求項１８】
前記カバーが、前記基部の前記表面上で実質的に平坦に配置される、請求項１３に記載の個人用薬剤投薬カード。
【請求項１９】
前記カバーが、可撓性材料で形成されて前記を被覆するように前記基部上に配置されて、前記凹部から剥せるようにされている、請求項１３に記載の個人用薬剤投薬カード。
【請求項２０】
前記カバーが、前記凹部の周囲を取囲んで接着剤により前記基部に密着している、請求項１３に記載の個人用薬剤投薬カード。
【請求項２１】
薬剤をカードの基部表面に適用するステップと、
該薬剤を該基部上に封入するために、着脱式カバーを該基部に適用するステップと、
を含む、薬剤を薬剤投薬カードに入れるステップと、
該カバーを該基部から少なくとも部分的に外して該薬剤をユーザに露出させるステップと、
該薬剤を該表面から溶かし出すステップと、
を含む、該薬剤を投薬するステップと、
を含む、薬剤投薬方法。
【請求項２２】
前記薬剤を前記表面に適用するステップが、粉末状である該薬剤および結合剤の溶液を形成するステップと、該溶液を前記表面に適用するステップと、前記溶液を前記表面上で乾燥させるステップとを含む、請求項２１に記載の方法。
【請求項２３】
前記薬剤を前記表面に適用するステップが、粉末状である該薬剤にゲル化剤を組合わせてペースト状物質を形成するステップと、該物質を前記表面全体に塗り広げるステップとを含む、請求項２１に記載の方法。
【請求項２４】
前記基部が少なくとも１つの浅い凹部を含み、前記薬剤を前記表面に適用するステップが、該凹部を該薬剤で実質的に充填するステップを含む、請求項２１に記載の方法。
【請求項２５】
薬剤を適用した表面を有するカードを準備するステップと、
前記薬剤を取出すために、前記カード表面に接触するステップと、
を含む、薬剤の送出にカード表面を用いる方法。
【請求項２６】
前記接触ステップが、前記薬剤を摩擦により取出すものである、請求項２５に記載の方法。
【請求項２７】
前記接触ステップが、前記薬剤を溶かし出すものである、請求項２５に記載の方法。
【請求項２８】
前記薬剤が、口の接触により前記カード表面から取出される、請求項２７に記載の方法。
【請求項２９】
前記カード表面が、前記適用される薬剤用に浅い凹部を含む、請求項２５に記載の方法。
【請求項３０】
前記適用された薬剤の上にカバーを設けるステップをさらに含む、請求項２５に記載の方法。
【請求項３１】
アスピリン、ビタミンＫ、ニトログリセリン、抗ヒスタミン剤、インスリン、糖、蛇咬傷用解毒剤、エピネフリン、ヘパリン、デメトレックス、ゾフラン、ドラマミン、スコポラミン、ニコチン置換剤、ペプシド、ヒデルギン、コンパジンおよび前記薬剤の組合わせからなる群から選択される化合物の有効量を、カードの表面に接触して、そこに適用された薬剤を取出すことにより投与するステップを含む、被検者に治療効果をもたらす方法。
【請求項３２】
前記接触が、前記薬剤を前記カード表面から溶かし出すものである、請求項３１に記載の方法。
【請求項３３】
前記薬剤が、口の接触により取出される、請求項３２に記載の方法。
【請求項３４】
表面を有するカードと、
アスピリン、ビタミンＫ、ニトログリセリン、抗ヒスタミン剤、インスリン、糖、蛇咬傷用解毒剤、エピネフリン、ヘパリン、デメトレックス、ゾフラン、ドラマミン、スコポラミン、ニコチン置換剤、ペプシド、ヒデルギン、コンパジン、および前記薬剤の組合わせからなる群から選択される薬剤であって、前記カードの前記表面に治療に必要な服用量だけ適用された薬剤と、
を含む服用量投与物品。
【請求項３５】
前記薬剤が、製薬上許容されるバインダをさらに含む、請求項３４に記載の物品。
【請求項３６】
アスピリン、ビタミンＫ、ニトログリセリン、抗ヒスタミン剤、インスリン、糖、蛇咬傷用解毒剤、エピネフリン、ヘパリン、デメトレックス、ゾフラン、ドラマミン、スコポラミン、ニコチン置換剤、ペプシド、ヒデルギン、コンパジン、および前記薬剤の組合わせからなる群から選択され、カード表面に適用される薬剤を含む治療用製剤。
【発明の詳細な説明】
【技術分野】
【０００１】
発明の背景
本発明は、薬剤パッケージに関し、特に、各自の財布やバッグの中で持ち運び可能な、クレジットカードなどと同様のサイズをした個人用薬剤投薬装置に関する。
個人が定期的に一定時間をおいて薬剤を服用しなければならない例は数多くある。糖尿病患者は、血糖値をコントロールするために、一定時間をおいて特定の薬剤を服用しなければならない。また、冠状動脈に問題がある患者は、冠状動脈の閉塞が起こった場合に備えて、ニトログリセリンなどの薬剤を常に携帯する必要がある。
【０００２】
薬剤の携帯によく利用されるのが、比較的小型でポケットやバッグ内に入れられる、いわゆる薬入れや錠剤入れである。こうした入れ物は通常、中身が透けて見えるように、透明なプラスチック材料で形成されている。
もう１つ、個人の薬剤を携帯するためによく利用されるのが、各自が所望量の薬剤を入れて封をする、いわゆるファスナ付きビニール袋を使用する方法である。どちらの場合も、各自が、薬剤を薬入れか袋に入れて、これを持ち運ぶことを覚えている限りかなり有効な方法なのでであるが、忘れてしまうこともかなり頻繁にある。場合によっては、薬を忘れたことで命を脅かす危険な状況を招きかねないため、忘れることは重大な問題となる。したがって、各自が常に薬剤を服用できる状態にしておく手段を提供できれば望ましい。
【０００３】
現代社会ではクレジットカードや身分証明書は当たり前の存在になっているため、ほぼすべての人が、大抵約８．７７５ｃｍ（３．３７５ｉｎ）×５．５２５ｃｍ（２．１２５ｉｎ）のプラスチック製または板紙製カードであるカード状装置数枚を持ち歩いている。クレジットカードサイズの薬剤パッケージは、これまでも従来技術で提案されてきた。その１例が、Ｒａｌｐｈ  Ｂａｒｔｅｌｌ他に発行された米国特許第４，８８９，２３６号に開示されている。このパッケージは、暦に従ってスケジュール通りに服用すべき薬剤を含有するように設計された、硬質なブリスター包装による薬剤投薬カードである。このカードには、丸薬や錠剤を入れる、複数の仕切り穴が設けられている。このパッケージの場合、その周囲はクレジットカードとほぼ同じ寸法であるが、その厚さは、投薬する錠剤や丸薬を収容するために、クレジットカードの５〜１０倍にもなってしまう。
【０００４】
もう１つのクレジットカードサイズの薬剤パッケージが、Ｒｏｂｅｒｔ  Ｗ．Ｇｅｅ，Ｓｒ．に発行された米国特許第３，９５８，６９０号に開示されている。このパッケージは、封筒内に摺動自在に入れられる折り畳み式カードと、カード内に折り畳まれて、糖尿病患者が使用する従来の糖入り袋などの薬剤を入れるスペースを画成するフレームとを含む。このパッケージは、フレームがオープン構造であるため、糖などの予め包装された薬剤にのみに適している。
発明の概要
上記を鑑みて、投薬できる状態の薬剤を入れる手段を有する個人向けカード状装置を提供することが、本発明の主要な目的の１つである。
【０００５】
本発明のもう１つの目的は、カード状装置の凹部または表面から薬剤を舐めて取出すことのできる種類の個人用カード状装置を提供することである。
本発明の別の目的は、薬剤の投薬方法を提供することである。
本発明の上記のみならず他の目的を考慮すると、本発明は、請求の範囲に記載し示された新規特徴や形態、構造、配置、部品および構成要素の組合わせに属するものである。
【０００６】
本発明は、薬剤を持ち運ぶようにされた薬剤投薬用カードを提供するものである。この投薬用カードは、比較的硬い材料で形成されたカード状基部と、薬剤を適用する基部上表面とを含む。この薬剤は、ユーザの口の一部が接触すると、ユーザがこれを溶かし出すことのできるものである。この薬剤投薬用カードはさらに、薬剤上に配置された着脱式カバーを含む。このカバーは、ユーザが薬剤に接触できるように着脱式になっている。
【０００７】
薬剤は、粉末状であり、結合剤を含有したものである。
本発明によればさらに、クレジットカードと同様のサイズおよび形状であり、各自の薬剤を各自で持ち運べるようにされた個人用薬剤投薬カードが得られる。この個人用薬剤投薬カードは、クレジットカードと同様のサイズおよび形状で、比較的硬い材料で形成されたカード上基部を含む。この基部の表面には、少なくとも１つの浅い凹部が設けられており、この凹部内に薬剤が入れられる。この個人用薬剤投薬カードはさらに、凹部上を被覆する状態で基部上に配置されて、薬剤を基部上に封入する着脱式カバーを含む。このカバーは、ユーザが凹部内の薬剤を出入れできるように、少なくとも部分的に着脱式となっている。
【０００８】
一実施形態において、この薬剤は、粉末状であり、結合剤を含む。別の実施形態において、この薬剤は、粉末状であり、この薬剤を表面上に保持できるようにゲル化物質を含む。
本発明の別の態様によれば、薬剤を与える方法が得られる。この方法は、薬剤をカードの基部表面に適用するステップ、および基部に着脱式カバーを適用して、薬剤を基部上に封入するステップを含む、薬剤を投入薬用カード内に包装するステップと、カバーを基部から少なくとも部分的に外して薬剤をユーザに露出するステップ、および薬剤を表面から溶かし出すステップを含む、薬剤を投薬するステップとを含む。
【０００９】
したがって、本発明は、薬剤を中に保持できる凹部を設けたカード状装置を提供するものである。着脱式カバーシートで覆われていても薬剤が凹部から漏れ出すということがないように、薬剤を、ゲル化材料などの成分を用いれば凹部内に固定した状態で保持できる顆粒状の形態で導入する。別の実施形態では、微粒子状薬剤に結合剤が用いられている場合は特に、この薬剤を、凹部が形成されていないカードの表面上に配置することができる。こうすることにより、薬剤を服用する必要があるときに、その薬剤携帯者は通常、薬剤の表面を舐めることができる。口からの水分で薬剤が溶けるため、その薬を服用することができる。
【００１０】
薬剤をカバーする目的を果たせるのであれば、いずれの種類の着脱式カバーを用いてもよい。一実施形態では、このカバーは、薄い可撓性プラスチックフィルムを含む。
本発明による個人用薬剤投薬カードは、所定時間の間、薬剤を財布やバッグ内に持ち歩く消費者にとって、便宜のよい方法である。大半の人は、財布やバッグを持ち歩いているため、その中に薬剤が入っていれば、消費者は必要なときにいつでも、特に緊急事態においてそれを服用することができる。しかし、薬剤の服用に個人向け薬剤投薬用カードを使用することは緊急時に限定されるものではなく、このカードは、毎日、または毎日ではなくとも周期的に一定量の薬剤を服用するために、特に、消費者が丸薬や錠剤を飲むよりカード状装置から薬剤を舐めることを好む場合に、便宜のよい媒体となり得る。
【００１１】
上述に関連して、本発明はまた、薬剤の服用にカード表面を用いる方法を含むことができる。この方法は、（１）薬剤を適用したカード表面を準備するステップと、（２）薬剤をそこから取出すために、そのカード表面を接触させるステップとを含む。薬剤をカードから取出すには摩擦を利用することもできるが、溶かし出すのが好適であり、この溶かし出しは、口を接触させるか、適した溶剤を接触させるかのいずれかにより行うことができる。本発明による方法に関する他の態様は、本明細書内にてさらに説明する通りである。本明細書では、具体的に、図面に例示したさまざまなカード物品、およびそれに適用する薬剤に関する説明に言及している。
【００１２】
したがって、本発明はさらに、被検者における治療効果を得るための方法を含む。この方法は、アスピリン、ビタミンＫ、ニトログリセリン、抗ヒスタミン剤、インスリン、糖、蛇咬傷用解毒剤、エピネフリン、ヘパリン、デメトレックス、ゾフラン、ドラマミン、スコポラミン、ニコチン置換剤、ペプシド、ヒデルギン、コンパジンおよびこれらの薬剤の組合わせを含むがこれらに限定するものではない薬剤の有効量を投与するステップを含む。この投与ステップは、カード表面からそこに適用されている薬剤を取出して実施されるものである。好適な実施形態において、この薬剤は、上記に詳しく説明したように、あるいは本発明を周知の当業者には明白であるように、適用される。このような当業者であれば、各薬剤に対してその有効量、投薬量、および／または適用計画を容易に最適化できるであろう。周知のように、具体的な条件下の所与被検者に対する、具体的な医学的状態についての具体的な投与量は日常的に変化するものであるが、その最適な量は、必要以上の実験をせずとも普通の処理で容易に決定できるものである。
【００１３】
こうした方法のさまざまな好適な実施形態に、任意に、その薬剤と併用して、製薬上許容されるバインダ組成物の使用を含めることができる。このバインダおよびその製剤は、当業者には周知であるように、具体的な薬剤、粒度、および本発明の場合には投薬に用いられるカード／物品の表面および／または形状に応じてさまざまであるが、本発明におけるこの方法および製剤は、生分解性高分子、アクリル酸由来ポリマーおよびその置換誘導体、シクロデキストリン、脂質／リポタンパク質などを含むがこれらに限定するものではないバインダを含むものである。例えば、好適なバインダ組成物は、ローカストグリーンガム、キサンタンガム、プロピレングリコール、メチルセルロース、カルボキシメチルセルロースおよびユーロタン（eurothane）を含むがこれらに限定するものではない。後者組成物は、薬剤に粘着性をもたせつつ、水分、唾液または他の適した溶剤に接触すると溶け出るという点で、本発明のさまざまな用途に特に有用である。
【００１４】
上述したように、本発明にさらに、カード表面に適用されてカードと共に持ち運ばれる、本明細書に記載した例のいずれかの薬剤を含み、またこれらに限定するものではない治療用製剤を含めることができる。好適な実施形態におけるこうした薬剤はさらに、上述した種類のバインダを含む。他のさまざまな実施形態では、その薬剤を、上述したように、次の投薬用にこの物品に適用することができる。したがって、治療用に有効な量または濃度に関する上述に関して、本発明は、物品から取出すことにより治療用量を提供するのに十分な量で薬剤が適用されている投薬物品を含むことができる。
【００１５】
本発明には、他にも数多くの利点と、本発明を具体化できる形態を考慮するとさらに明確になる他の目的とがある。こうした形態を、本明細書の一部を形成し、本明細書に添付されている図面に示す。これらの図面について、本発明の原則を例示するために以下に詳細に説明するが、以下の詳細な説明および添付図面のいずれも何ら制限を目的とするものでないことを理解されたい。
好適な実施形態の詳細な説明
図１および図２を参照すると、本発明の一実施形態による個人用薬剤投薬カード１０が図示されている。この個人用薬剤投薬カード１０は、従来のクレジットカードとサイズおよび形状が類似しており、上面１６に浅い凹部１４を形成した基部１２を有する。個人用薬剤投薬カード１０はまた、凹部１４内に入れられた薬剤２０を被覆する着脱式トップカバープレート１８を含む。
【００１６】
用語「薬剤」は、例えばビタミン錠剤および同種療法剤などのあらゆる消耗品を本質的に含むように広義で使用されている。この薬剤の例として、アスピリン、ビタミンＫ、ニトログリセリン、抗ヒスタミン剤、インスリン、糖、蛇咬傷用解毒剤、エピネフリン、ヘパリン、デメトレックス（一般名：スマトリプタン）、ゾフラン（一般名：オンダンセトロン）、ドラマミン、スコポラミン、ニコチン置換剤、ペプシド（一般名：プロクロルペラジン）、ヒデルギン、コンパジン（一般名：スマトリプタン）、およびこれら薬剤の組合わせが挙げられるが、これらに限定するものではない。したがって、用語「薬剤」は、市販の特定薬にも処方される薬にも特に限定されるものではなく、広義に用いられる用語である。さらに、本発明が提供する個人用薬剤投薬カードを、ヒトに薬剤を投薬する用途について記載しているが、本発明を、丸薬を飲み込めずとも薬剤を明らかに舐めることのできる動物に対する、緊急時や日毎の、または周期的な獣医学的使用にも応用することができる。獣医学的使用の場合、必要に応じて、カードのサイズを拡大し、形状を変えて使用することが可能である。
【００１７】
基部１２は、ポリ塩化ビニルなどのプラスチック材料で形成されている。一実施形態において、この基部１２は、縦が約８．７７５ｃｍ（３．３７５ｉｎ）、横が５．５２５ｃｍ（２．１２５ｉｎ）、厚さが約０．１０４ｃｍ〜０．１５６ｃｍ（約０．０４０ｉｎ〜０．０６０ｉｎ）である。この基部１２の上面１６の一部にのみ、浅い凹部１４が設けられており、この凹部は、縦が約７．４７５ｃｍ（約２．８７５ｉｎ）、横が約４．２２５ｃｍ（１．６２５ｉｎ）、深さが約０．０７８ｃｍ（約０．０３０ｉｎ）である。
【００１８】
好適な一実施形態において、薬剤２０は、凹部１４内に微粒子状または粉末状で入れられて、トップカバープレート１８により凹部１４内に保持される。通常、凹部をこの薬剤で実質的に充填して、薬剤を、基部１２の上面１６と同じ高さとする。この薬剤を服用するためには、例えば、トップカバープレート１８を外して、薬剤を手の平に出すことができる。別の実施形態において、微粒子状または粉末状である薬剤にバインダを混合して、スラリを形成する。本発明の方法および製剤は、生分解性高分子、アクリル酸由来ポリマーおよびその置換誘導体、シクロデキストリン、脂質／リポタンパク質などを含むがこれらに限定するものではないバインダを含むものである。例えば、好適なバインダ組成物は、ローカストグリーンガム、キサンタンガム、プロピレングリコール、メチルセルロース、カルボキシメチルセルロースおよびユーロタンを含むが、これらに限定されるものではない。後者組成物は、薬剤に粘着性をもたせつつ、水分、唾液または他の適した溶剤に接触すると溶け出るという点で、本発明のさまざまな用途に特に有用である。この薬剤を、凹部１４の表面２４に液体として適用した後、そこで乾燥させる。これにより、薬剤を凹部表面２４の実質的に全体に行き渡らせることができる。
【００１９】
別法として、薬剤を表面２４に適用できるようにするため、薬剤をゲル化剤と調製してペースト状の物質を形成することもできる。この用途に適したゲル化物質の例として、カルボキシメチルセルロース、メチルセルロース、ユーロタン、ローカストグリーンガム、プロピレングリコールおよびキサンタンガムが挙げられる。ゲル化された薬剤は、その後乾燥させても、粘着状態のままでもよい。いずれの実施形態の場合にも、トップカバープレート１８を外し、水や唾液などの溶剤で薬剤を溶液になるまで溶かすことで、この薬剤をカードから溶かし出すことができる。例えば、このカードを水や他の溶剤の入った容器内に入れてその溶液を飲む、または薬剤を服用すべき個人が、凹部からその薬剤を舐め出すことができる。
【００２０】
トップカバープレート１８も、比較的薄いプラスチック材料または板紙材料で形成することができる。トップカバープレート１８は、透明でも、半透明でも、または不透明でもよい。一実施形態におけるトップカバープレート１８は、厚さが約０．０５２ｃｍ〜０．０７８ｃｍ（約０．０２０ｉｎ〜０．０３０ｉｎ）であり、周囲寸法が実質的に上述した基部１２の寸法と同じである。トップカバープレート１８を基部１２に固定する方法は、永久接着剤または剥離可能接着剤２２など、または機械的ファスナの特定種類を含む適した手段のいずれでもよい。トップカバープレート１８は、基部の上面１６上に実質的に平坦に配置される。永久接着剤を用いる場合、カードを折り曲げてトップカバープレートを分断すれば薬剤を取出せるように、トップカバープレート１８に切取線２６を設けることができる。剥離可能接着剤を用いる場合、ユーザは単に、例えば指先や爪をトップカバープレート１８の一端に差込んでこれを外し、基部からトップカバープレート１８を引き離すことにより、その薬剤が微粒子状であれば凹部１４内に入っている薬剤２０を手の平に取り、薬剤が乾燥状態または別の方法で凹部表面に適用されていればこれを溶かし出すことができる。取出した微粒子を水に入れて服用することも可能である。その接着剤を基部１２に施すことが好ましいが、トップカバープレート１８の内側表面に施してもよい。
【００２１】
図１に例示した個人用薬剤投薬カード１０の基部１２には１つの凹部１４しか設けていないが、２つ以上の凹部を設けられることは明白であり、それぞれの表面に薬剤を適用することができる。例えば、図３を参照すると、個人用薬剤投薬カード１１が図示されており、これは、図１に例示した個人用薬剤投薬カード１０に類似しているが、基部１３に２つの凹部１５および１７を設けられている。凹部１５および１７に入れる薬剤は同種でも異種でもよい。このような実施形態では、２枚のそれぞれに着脱式であるトップカバー部材２８および２９を設けて、薬剤入れ部分を１つずつ別々に開けられるようにする。トップカバー部材２８および２９を、接着剤２２で基部に固定する。接着剤２２を、例示したように凹部の３側部の周囲に延在させても、トップカバープレート１８（図１）と同様に各凹部について４つの側部すべての周囲に施してもよい。
【００２２】
図４〜図６を参照すると、本発明の別の実施形態によれば、個人用薬剤投薬カード３０は、図１および図２に図示した個人用薬剤投薬カード１０と同じ寸法にすることができ、薬剤２０を入れる凹部１４などの１つまたは複数の凹部を設けられる基部１２を含む。薬剤を、図１および図２を参照しながら上述したように、凹部１４の表面に液体として適用した後、そこで乾燥させることができる。別法として、薬剤をゲル化剤と共に調製して、凹部の表面全体に延ばすことができるペースト状物質を形成してもよい。この場合、薬剤２０の上面が基部１２の上面と実質的に同じ高さになるように、凹部１４を薬剤で実質的に充填することが好ましい。
【００２３】
この実施形態において、個人用薬剤投薬カード３０は、可撓性プラスチック製剥離型ストリップである着脱式カバー部材３２を含む。このカバー部材３２は、透明でも、半透明でも、または不透明でもよい。一実施形態におけるカバーストリップ３２は、厚さがおよそ０．０１３ｃｍ（およそ０．００５ｉｎ）であるプラスチック製薄膜である。カバーストリップ３２は接着剤３４で固定されており、図４に示したように、接着剤でこれを凹部１４の周囲に密着させることができる。その接着剤を基部１２に施すことが好ましいが、カバーストリップ３２の内側表面に施してもよい。便宜上、カバーストリップ３２の外周部を、接着剤３４で基部１２の上面から隆起したものとして図示しているが、カバーストリップ３２は、その外側縁部を含めて、基部１２の上面１６上で実質的に平坦に配置されるものである。図４〜図６に例示した実施形態における接着剤３４は、凹部に隣接して基部１２上に施されている。この位置は、薬剤が凹部１４内に、バインダやゲル化剤を含まない粉末状で入れられる場合に好適である。基部に複数の凹部が設けられている場合、複数枚の剥離型ストリップを各凹部にそれぞれ設けて、各凹部を別々に露出させられるようにできる。
【００２４】
図５を参照すると、カバーストリップ３２の一部が基部１２の表面１６から剥されて、ユーザが薬剤２０を出入れできるようになっている。カバーストリップ３２をほぼ完全に取外す位置まで剥すことができ、これにより、ユーザは文字通り、凹部１４内の薬剤２０表面に自分の舌を付けることができる。この場合、ユーザは本当に薬剤を舐めて、基部の凹部１４からこれを溶かし出すことができる。
【００２５】
凹部１４は略矩形であるが、凹部がどのような形状であってもよいことは明白である。例えば、図７は、基部３８の凹部３７が略楕円である個人用薬剤投薬カード３６を例示している。
図８および図９を参照すると、本発明の別の実施形態である個人用薬剤投薬カード４０によれば、薬剤４２は、基部４８の平坦な上面４６上に配置されている。薬剤を、基部４８の表面４６に液体として適用した後、そこで乾燥させる、または薬剤をゲル化物質と共に調製してから、表面４６に適用することができる。しかし、基部４８に、個人用薬剤投薬カード３０（図５）の場合と同様に凹部を設けて、薬剤をその凹部表面に適用することもできる。基部４８の周囲寸法は、例えば図１の基部１２と同じにすることができる。この薬剤をカバーストリップ５０でカバーする。カバーストリップ５０を、厚さがおよそ０．０１３ｃｍ（およそ０．００５ｉｎ）の可撓性プラスチック材料による薄膜とすることができる。カバーストリップ５０は、透明でも、半透明でも、不透明でもよい。基部４８の周縁部に沿って剥離可能接着剤５２を施し、これでカバーストリップ５０を密着させる。この接着剤を基部４８に施すことが好ましいが、カバーストリップ５０の内側表面に施してもよい。カバーストリップ５０を、図８に示すように、ほぼ完全に外す位置まで剥すことができ、これにより、ユーザは文字通り、表面４６上の薬剤４２表面に自分の舌を付けることができる。この場合、ユーザは本当に薬剤を舐めて、基部の表面から、または基部が凹部を設けている場合には凹部から、これを取出すことができる。
【００２６】
本発明について、薬剤を乾燥した粉末状にしてガム状物質で一まとめにしておく必要は必ずしもないことを理解されたい。薬剤が実際にゲル化された状態で存在している場合もあれば、カルボキシルメチルセルロースナトリウムなどの物質で適宜ゲル化する場合もある。
以上、好適な実施形態を例示および説明してきたが、本発明の最も広義である態様において、本発明から逸脱することなくさまざまな変更および修正を加えられることを理解されたい。本発明のさまざまな特徴は、添付した請求の範囲内に定義された通りである。
【図面の簡単な説明】
【００２７】
新規であると考えられる本発明の特徴は、添付した請求の範囲内に詳しく定められている。添付図面と併せて以下の記載を参照することにより、本発明を、その他の目的および利点と共に最もよく理解できるであろう。図面における同様の参照番号は同様の構成要素であることを示している。
【図１】本発明の一実施形態による個人用薬剤投薬カードを示す斜視図である。
【図２】個人用薬剤投薬カードに設けられた凹部の一部を示すために、その中に入れられている薬剤の一部を取出した状態である、図１の個人用薬剤投薬カードを示す分解斜視図である。
【図３】薬剤を入れた複数の凹部を含む、本発明の別の実施形態による個人用薬剤投薬カードを示す斜視図である。
【図４】薬剤を入れた凹部上に配置された着脱式カバーストリップを含む、本発明の別の実施形態による個人用薬剤投薬カードを示す斜視図である。
【図５】着脱式カバーストリップを一部取外した状態である、図４の個人用薬剤投薬カードを示す斜視図である。
【図６】図５の線分６−６を通る断面から見た拡大縦断面図である。
【図７】薬剤を入れる凹部の形態が略楕円である、図４の例に類似の個人用薬剤投薬カードを示す斜視図である。
【図８】薬剤がカードの表面上に配置されている、本発明の別の実施形態による個人用薬剤投薬カードを示す斜視図である。
【図９】図８の線分９−９を通る断面から見た拡大縦断面図である。
【国際公開パンフレット】
2004524881.tif 000003
2004524881.tif 000004
2004524881.tif 000005
2004524881.tif 000006
2004524881.tif 000007
2004524881.tif 000008
2004524881.tif 000009
2004524881.tif 000010
2004524881.tif 000011
2004524881.tif 000012
2004524881.tif 000013
2004524881.tif 000014
2004524881.tif 000015
2004524881.tif 000016
2004524881.tif 000017
2004524881.tif 000018
2004524881.tif 000019
2004524881.tif 000020
2004524881.tif 000021
2004524881.tif 000022
2004524881.tif 000023
2004524881.tif 000024
2004524881.tif 000025
2004524881.tif 000026
2004524881.tif 000027
2004524881.tif 000028
2004524881.tif 000029
2004524881.tif 000030
2004524881.tif 000031
【国際公開パンフレット（コレクトバージョン）】
2004524881.tif 000032
2004524881.tif 000033
【国際調査報告】
2004524881.tif 000034